(57)【要約】【課題】より高精度に電子機器の送風機の送風量を推定可能な技術を提供する。【解決手段】空調システムは、複数の電子機器の夫々に備えられた送風機の駆動時の印加電圧を示す情報、および、前記電子機器の送風機の回転数と印加電圧を示す情報との特性を示す特性情報を用いて、該電子機器の送風機の送風量を予測する電子機器送風量算出手段を備える。【選択図】      図１０
2016031634.tif 000002
【特許請求の範囲】
【請求項１】
複数の電子機器の夫々に備えられた送風機の駆動時の印加電圧を示す情報、および、前記電子機器の送風機の回転数と印加電圧を示す情報との特性を示す特性情報を用いて、該電子機器の送風機の送風量を予測する電子機器送風量算出手段を備える、ことを特徴とする空調システム。
【請求項２】
複数の電子機器が設置される室内の空調を行う空調機の送風量を制御する空調機制御手段を更に備える、ことを特徴とする請求項１に記載の空調システム。
【請求項３】
前記電子機器送風量算出手段は、前記電子機器の送風機の駆動時の印加電圧を示す情報と、該電子機器の送風機の前記特性情報とを用いて、該電子機器の送風機の実回転数を算出し、前記算出した実回転数と、該電子機器の送風機の定格回転数および定格送風量とを用いて、前記電子機器の送風機の送風量を予測する、ことを特徴とする請求項１または２に記載の空調システム。
【請求項４】
前記特性情報を格納可能な記憶手段を更に備える、ことを特徴とする請求項１から３の何れか１項に記載の空調システム。
【請求項５】
前記電子機器送風量算出手段は、前記定格回転数に対する前記実回転数の比の値に、前記定格送風量を掛け合わせることにより、前記送風量を予測する、ことを特徴とする請求項３に記載の空調システム。
【請求項６】
複数の電子機器の夫々に備えられた送風機の駆動時の印加電圧を示す情報、および、前記電子機器の送風機の回転数と印加電圧を示す情報との特性を示す特性情報を用いて、該電子機器の送風機の送風量を予測する電子機器送風量算出手段を備える、ことを特徴とする送風量予測装置。
【請求項７】
複数の電子機器の夫々に備えられた送風機の駆動時の印加電圧を示す情報、および、前記電子機器の送風機の回転数と印加電圧を示す情報との特性を示す特性情報を用いて、該電子機器の送風機の送風量を予測する、ことを特徴とする送風量予測方法。
【請求項８】
複数の電子機器の夫々に備えられた送風機の駆動時の印加電圧を示す情報、および、前記電子機器の送風機の回転数と印加電圧を示す情報との特性を示す特性情報を用いて、該電子機器の送風機の送風量を予測する処理をコンピュータに実行させる、ことを特徴とするプログラム。
【発明の詳細な説明】
【技術分野】
【０００１】
本発明は、空調システム、送風量予測装置、送風量予測方法およびプログラムに関する。
【背景技術】
【０００２】
近年、クラウドサービスの進展とともに多量のデータが取り扱われるようになり、多数のコンピュータを一括して管理するデータセンタの必要性が益々高くなっている。現時点における国内のデータセンタの電力使用量は、約５７億ｋＷｈであり、今後の電力使用量は年率およそ１３％の増加が見込まれている。データセンタにおいて使用されている電子機器は、年間を通じて安定動作するように管理されている。したがって、データセンタ内に空調設備は、データセンタ内部の室温をおよそ２０℃から２７℃、相対湿度をおよそ２０％から８０％に維持されるように冷却している。
【０００３】
近年、データセンタにおいて使用されている電子機器が増大しており、この電子機器を冷却する空調設備の電力が増大している。現状、電子機器で使用される電力の約２．２倍を空調設備で使用しており、データセンタの省エネルギ化が求められている。この空調設備に使用されている電力は、例えば、冷水を製造する圧縮機がおよそ７０％、電子機器に冷水から製造された冷風を供給する送風機の電力が残りのおよそ３０％を占めている。
【０００４】
このようなデータセンタの省エネルギ化のために、圧縮機の電力を削減するための対策が知られている。例えば、圧縮機の電力削減対策として、高い圧縮率を持つターボ冷凍機の採用、チラー設備を用いない間接外気冷却、データセンタ外部の空気を冷却に利用した直接外気冷却などが挙げられる。
【０００５】
また、電子機器内部を冷却する電子機器に搭載された送風機の風量は、電子機器の負荷が増大し、電子機器外部の気温が上昇するときに、増やす必要がある。このような電子機器を含むデータセンタの空調設備の送風機は、上記電子機器に搭載された送風機が必要とする量の風をデータセンタ内に送風する。
【０００６】
このような、データセンタの送風機に対する電力削減対策の一例として、電子機器に搭載された送風機の風量を制御する方法の一例が、例えば、特許文献１に記載されている。特許文献１には、サーバのファン回転数変化をフィードバックして、スポット空調機（電子機器の送風機）の供給風量を制御することが記載されている。
【０００７】
また、データセンタの送風機の消費電力を抑える方法として、冷却パネルや蓄冷パネル、蓄冷ユニット等がラックの顕熱負荷処理の一部を担う空調システムが、特許文献２に記載されている。
【先行技術文献】
【特許文献】
【０００８】
【特許文献１】特開２００９−２９３８５１号公報
【特許文献２】特許第４７６２４６４号公報
【発明の概要】
【発明が解決しようとする課題】
【０００９】
しかしながら、特許文献１に記載の技術では、サーバ（電子機器）のファン（送風機）の回転数の変化を用いて、各サーバのファンの送風量を算出しているため、この算出（推定）した送風量と、実際にサーバのファンが送風する送風量とが異なる可能性がある。
【００１０】
本発明は、上記課題に鑑みてなされたものであり、その目的は、より高精度に電子機器の送風機の送風量を推定可能な技術を提供することにある。
【課題を解決するための手段】
【００１１】
本発明の一態様に係る空調システムは、複数の電子機器の夫々に備えられた送風機の駆動時の印加電圧を示す情報、および、前記電子機器の送風機の回転数と印加電圧を示す情報との特性を示す特性情報を用いて、該電子機器の送風機の送風量を予測する電子機器送風量算出手段を備える。
【００１２】
本発明の一態様に係る送風量予測装置は、複数の電子機器の夫々に備えられた送風機の駆動時の印加電圧を示す情報、および、前記電子機器の送風機の回転数と印加電圧を示す情報との特性を示す特性情報を用いて、該電子機器の送風機の送風量を予測する電子機器送風量算出手段を備える、ことを特徴とする。
【００１３】
本発明の一態様に係る送風量予測方法は、複数の電子機器の夫々に備えられた送風機の駆動時の印加電圧を示す情報、および、前記電子機器の送風機の回転数と印加電圧を示す情報との特性を示す特性情報を用いて、該電子機器の送風機の送風量を予測する。
【００１４】
なお、上記空調システム、上記送風量予測装置、上記送風量予測方法を、コンピュータによって実現するコンピュータプログラム、およびそのコンピュータプログラムが格納されている、コンピュータ読み取り可能な記憶媒体も、本発明の範疇に含まれる。
【発明の効果】
【００１５】
本発明によれば、より高精度に電子機器の送風機の送風量を推定することができる。
【図面の簡単な説明】
【００１６】
【図１】本発明の第１の実施の形態に係る空調システムの全体構成の一例を示す図である。
【図２】本発明の第１の実施の形態に係る空調システムの機能を示す機能ブロック図である。
【図３】本発明の第１の実施の形態に係る空調システムの電子機器制御装置の記憶部に格納されている特性情報の一例を示す図である。
【図４】本発明の第１の実施の形態に係る空調システムの電子機器制御装置における送風量算出処理の流れの一例を示すフローチャートである。
【図５】本発明の第１の実施の形態に係る空調システムの空調機制御装置における送風量調整処理の流れの一例を示すフローチャートである。
【図６】本発明の第２の実施の形態に係る空調システムの全体構成の一例を示す図である。
【図７】本発明の第３の実施の形態に係る空調システムの全体構成の一例を示す図である。
【図８】本発明の第３の実施の形態に係る空調システムの空調機制御装置の機能を示す機能ブロック図である。
【図９】本発明の第３の実施の形態に係る空調システムの空調機制御装置の処理の流れの一例を示すフローチャートである。
【図１０】本発明の第４の実施の形態に係る空調システムの送風量予測装置の機能を示す機能ブロック図である。
【図１１】本発明の第５の実施の形態に係る空調システムの全体構成の一例を示す図である。
【図１２】本発明の各実施形態に係る空調システムに含まれる各装置のハードウェア構成の一例を示す図である。
【図１３】本発明の第４の実施の形態の他の例に係る空調システムの送風量予測装置の機能を示す機能ブロック図である。
【発明を実施するための形態】
【００１７】
＜第１の実施の形態＞
本発明の第１の実施の形態について、図面を参照して詳細に説明する。
【００１８】
図１は、本発明の第１の実施の形態に係る空調システムの全体構成の一例を示す図である。なお、図１に示す空調システムは、本発明に特有な構成について示したものであり、図１に示す空調システムが図１に示されていない機能を有していてもよいことは言うまでもない。
【００１９】
図１に示す通り、本実施の形態に係る空調システム１は、複数の電子機器１２が設置された電子機器収納室１４の空気を調節するためのシステムである。空調システム１は、電子機器収納室１４の空気を調整可能な空調機１１を備えている。
【００２０】
電子機器収納室１４の床面には、図１に示す通り、電子機器１２を収容するラック１３が複数（図１では、４つ）配置されている。また、１つのラック１３には、複数（図１では、４つ）の電子機器１２が配置されている。なお、電子機器１２およびラック１３の数はこれに限定されるものではない。
【００２１】
電子機器１２は、例えば、サーバ、通信機器等といった機器である。電子機器１２には、送風機（電子機器送風機、サーバファンとも呼ぶ）１２１と、送風機１２１の回転数を制御する電子機器制御装置１６と、が内蔵されている。送風機１２１は、電子機器１２内部の、例えば、ＣＰＵ（Ｃｅｎｔｒａｌ  Ｐｒｏｃｅｓｓｉｎｇ  Ｕｎｉｔ）、メモリ、ＧＰＵ（Ｇｒａｐｈｉｃｓ  Ｐｒｏｃｅｓｓｉｎｇ  Ｕｎｉｔ）等を冷却するものである。
【００２２】
なお、図１に示す電子機器収納室１４内のラック１３および空調機１１の配置は、一例に過ぎず、本発明はこれに限定されるものではない。
【００２３】
空調機１１には、電子機器収納室１４の空気を調整するための送風機（空調機送風機とも呼ぶ）１１１が内蔵されている。
【００２４】
空調システム１は、更に、空調機１１の動作を制御する空調機制御装置（送風量予測装置）１５を備えている。空調機制御装置１５は、図１に示す通り、電子機器収納室１４内に設置されている。空調機制御装置１５は、空調機１１および電子機器１２と互いに通信可能に接続している。空調機制御装置１５と、空調機１１および電子機器１２とは、例えば、図示しない信号線で接続されているとするが、本発明はこれに限定されるものではない。空調機制御装置１５と、空調機１１および電子機器１２とは互いに通信可能に接続されていればよい。
【００２５】
図１に示す空調システム１では、空調機１１の送風機１１１から送風された空気は、電子機器収納室１４内の床下の空間（例えば、送風ダクト）を介して、床面に設けられた空気孔（例えば、穴あきパネル）から電子機器収納室１４内に給気される。そして、各電子機器１２の送風機１２１は、例えば、該電子機器１２の背面（吸込側）から、空気を吸い込み、前面（吹出側）から空気を吹き出すことにより、電子機器１２内部の装置を冷却する。そして、電子機器１２から吹き出された空気は、電子機器収納室１４の外部に排出される。なお、本実施の形態に係る空調システム１における空気の流れは一例に過ぎず、これに限定されるものではない。
【００２６】
次に図２を参照して、空調システム１の機能構成について説明する。図２は、空調システム１の機能を示す機能ブロック図である。なお、図２において、電子機器１２は１つのみ示しているが、電子機器１２の数は１以上である。
【００２７】
（電子機器制御装置１６）
電子機器制御装置１６は、送風機１２１の回転数を制御する手段である。本実施の形態では、電子機器制御装置１６は、ＰＷＭ（Ｐｕｌｓｅ  Ｗｉｄｔｈ  Ｍｏｄｕｌａｔｉｏｎ）制御を行うことにより、送風機１２１の回転数を制御することを例に説明を行う。なお、電子機器制御装置１６による送風機１２１の回転数の制御方法は、これに限定されるものではなく、例えば、駆動電圧値を制御する方法であってもよい。
【００２８】
電子機器制御装置１６は、図２に示す通り、検出部１６１と、算出部（電子機器送風量算出部）１６２と、記憶部１６３とを備えている。なお、電子機器制御装置１６は、送風機１２１の回転数を制御する制御手段を更に備える構成であってもよい。
【００２９】
検出部１６１は、電子機器１２の動作中（運転中）、該電子機器１２の送風機１２１に印加されている電圧パルスを検出する手段である。検出部１６１は、上記電圧パルスから、現時点のデューティサイクル（デューティ比）を算出する。検出部１６１は、算出したデューティサイクル（以降、デューティサイクルＤ２と呼ぶ）を、算出部１６２に供給する。
【００３０】
記憶部１６３は、電子機器１２の送風機１２１の回転数と印加電圧を示す情報との特性を示す特性情報を格納可能な手段である。記憶部１６３に格納される特性情報とは、例えば、印加電圧を示す情報に対する送風機１２１の回転数の特性を示す特性関数である。この特性情報について、図３を参照して説明する。図３は、記憶部１６３に格納されている特性情報の一例を示す図である。
【００３１】
記憶部１６３には、図３に示すような、送風機１２１の回転数（回転速度）と、ＰＷＭデューティサイクルとの特性を示す特性情報が格納されている。このような特性情報は、送風機１２１のメーカが提供するものであるとするが、本発明はこれに限定されるものではない。
【００３２】
図３に示す図の横軸は、ＰＷＭデューティサイクル（％）を示し、縦軸は、送風機１２１の回転数（ｒｐｍ）を示している。本実施の形態に係る電子機器制御装置１６は、ＰＷＭ制御を行うため、記憶部１６３に格納される特性情報は、図３に示す通り、ＰＷＭデューティサイクルと回転数との特性を示すものであるが、本発明はこれに限定されるものではない。電子機器制御装置１６が駆動電圧値を制御する場合、記憶部１６３に格納される特性情報は、駆動電圧と回転数との特性を示すものであってもよい。この場合、検出部１６１は、駆動電圧を検出し、当該駆動電圧の値（駆動電圧値）を算出部１６２に供給する。
【００３３】
なお、この特性情報は、利用者が、予め電子機器１２毎に、図示しない入力装置を用いて、入力することによって記憶部１６３に格納されるものであってもよい。また、この特性情報は、製品出荷時に、予め記憶部１６３に格納されるものであってもよいし、そのほかの方法で記憶部１６３に格納されるものであってもよい。特性情報の記憶部１６３への格納方法は特に限定されない。
【００３４】
また、記憶部１６３には、定格運転時（ＰＷＭデューティサイクルが１００％のとき）の送風機１２１の回転数（定格回転数と呼ぶ）ｎ１と、このときの送風量（定格送風量と呼ぶ）Ｑ１とが予め格納されている。この定格回転数ｎ１と、定格送風量Ｑ１とは、一般的に、送風機１２１のメーカのカタログ値として提示されているものである。なお、この定格回転数ｎ１と、定格送風量Ｑ１とは、利用者が、予め電子機器１２毎に、図示しない入力装置を用いて、入力することによって記憶部１６３に格納されるものであってもよい。また、この定格回転数ｎ１と、定格送風量Ｑ１とは、製品出荷時に、予め記憶部１６３に格納されるものであってもよいし、そのほかの方法で記憶部１６３に格納されるものであってもよい。
【００３５】
また、この定格回転数ｎ１は、特性情報を用いて、算出部１６２が算出するものであってもよい。具体的には、算出部１６２が、特性情報を用いて、デューティサイクルが１００％であるときの回転数を定格回転数ｎ１として求める構成であってもよい。特性情報が図３に示すグラフで示される情報であるとき、デューティサイクル１００％のときの回転数は、およそ６３００ｒｐｍとなる。算出部１６２は、このように、特性情報を用いて、定格回転数ｎ１を算出する構成であってもよい。
【００３６】
また、記憶部１６３には、上記特性情報の他に、算出部１６２が回転数の算出に使用する情報を一時格納する機能を更に有していてもよい。
【００３７】
また、定格回転数ｎ１と、定格送風量Ｑ１とが、利用者によって、図示しない入力装置を用いて入力されるものである場合、定格回転数ｎ１と定格送風量Ｑ１とは、記憶部１６３に格納されずに、算出部１６２の入力値として用いられてもよい。
【００３８】
算出部１６２は、検出部１６１からデューティサイクルＤ２を示す情報を受信する。そして、算出部１６２は、記憶部１６３に格納されている特性情報と、デューティサイクルＤ２とを用いて、現時点の回転数（実回転数とも呼ぶ）ｎ２を算出する。特性情報が図３に示すグラフで示される情報であり、現時点のデューティサイクルＤ２が５０％のとき、現時点の回転数ｎ２は、およそ４１００ｒｐｍとなる。算出部１６２は、このように、算出部１６２は、送風機１２１の駆動時の印加電圧を示す情報（例えば、デューティサイクルＤ２、駆動電圧値等）と、該送風機１２１の特性情報とを用いて、送風機の現時点の回転数ｎ２を算出する。
【００３９】
さらに、算出部１６２は、算出した回転数ｎ２と、定格回転数ｎ１および定格送風量Ｑ１とを用いて、現時点の送風量（実送風量とも呼ぶ）Ｑ２を算出（推定）する。このとき、算出部１６２は、送風機１２１の送風量Ｑ２が送風機１２１の回転数に比例するという送風機１２１の相似則を用いて、動作中の送風機１２１の現時点の送風量Ｑ２を算出する。具体的には、算出部１６２は、以下の式（１）を用いて、現時点の送風量Ｑ２を算出する。
【００４０】
Ｑ２＝（ｎ２／ｎ１）×Ｑ１    ・・・（１）
そして、算出部１６２は、算出した現時点の送風量Ｑ２を示す信号を、電子機器１２と通信ケーブルなどの有線または無線で接続する空調機制御装置１５に対し、送信する。
【００４１】
（空調機制御装置１５）
次に、図２を参照して、空調機制御装置１５の構成について説明する。図２に示す通り、空調機制御装置１５は、全体送風量算出部１５１と、送風機制御部１５２とを備えている。
【００４２】
全体送風量算出部１５１は、各電子機器１２から送信された送付量Ｑ２を示す信号を受信する。そして、電子機器収納室１４内の全ての電子機器１２の夫々から送信された上記信号によって示される送風量Ｑ２を用いて、電子機器収納室１４内の電子機器１２の送風量の総量（以降、総送風量Ｑ２＿ｔｏｔａｌと呼ぶ）を算出する。そして、全体送風量算出部１５１は、総送風量Ｑ２＿ｔｏｔａｌを送風機制御部１５２に供給する。
【００４３】
送風機制御部１５２は、空調機１１の送風機１１１の回転数を制御する手段である。送風機制御部１５２は、送風機１１１の回転数に基づいて、送風機１１１の送風量（以降、送風量Ｑ＿ｆａｎと呼ぶ）を算出する。この送風量Ｑ＿ｆａｎの算出方法は、送風機１１１の回転数から、推定するものであってもよいし、送風機１２１の送風量Ｑ２の算出方法と同様に、送風機１１１の特性情報を用いて算出するものであってもよい。送風量Ｑ＿ｆａｎの算出方法は特に限定されない。
【００４４】
送風機制御部１５２は、全体送風量算出部１５１から総送風量Ｑ２＿ｔｏｔａｌを受け取る。そして、総送風量Ｑ２＿ｔｏｔａｌと、送風量Ｑ＿ｆａｎとを比較する。総送風量Ｑ２＿ｔｏｔａｌと送風量Ｑ＿ｆａｎとが略同量の場合、送風機制御部１５２は、送風機１１１が電子機器収納室１４内に送風する送風量が、適量であると判断し、送風機１１１の現時点の回転数を維持する。
【００４５】
総送風量Ｑ２＿ｔｏｔａｌが送風量Ｑ＿ｆａｎより小さい場合、送風機制御部１５２は、送風機１１１が電子機器収納室１４内に送風する送風量が多いと判断する。そして、送風機制御部１５２は、送風機１１１の回転数を少なくする。具体的には、送風機１１１は、送風機１１１を回転させるための駆動周波数を下げる制御を行う。この制御により、送風機制御部１５２は、送風機１１１の送風量Ｑ＿ｆａｎを下げることができる。
【００４６】
また、総送風量Ｑ２＿ｔｏｔａｌが送風量Ｑ＿ｆａｎより大きい場合、送風機制御部１５２送風機１１１が電子機器収納室１４内に送風する送風量が少ないと判断する。そして、送風機制御部１５２は、送風機１１１の回転数を多くする。具体的には、送風機制御部１５２は、送風機１１１を回転させるための駆動周波数を上げる制御を行う。この制御により、送風機制御部１５２は、送風機１１１の送風量Ｑ＿ｆａｎを上げることができる。
【００４７】
そして、再度、送風機制御部１５２は、総送風量Ｑ２＿ｔｏｔａｌと送風量Ｑ＿ｆａｎとの比較を行い、送風量Ｑ＿ｆａｎを調整するというフィードバック制御を行う。
【００４８】
なお、送風機制御部１５２が空調機１１の送風機１１１の回転数を制御する際、送風機１１１の駆動周波数を制御することについて説明を行ったが、本発明はこれに限定されるものではない。送風機制御部１５２は、送風機１１１の駆動電圧値を制御することによって、送風機１１１の回転数を制御してもよいし、送風機１１１に印加する電圧パルスのデューティサイクルを制御することによって、送風機１１１の回転数を制御してもよいし、その他の方法であってもよい。
【００４９】
（送風量算出処理）
次に、図４を参照して、電子機器制御装置１６における電子機器１２の送風機１２１の送風量を算出する処理について説明する。図４は、電子機器制御装置１６における送風量算出処理の流れの一例を示すフローチャートである。
【００５０】
ここで、予め各電子機器１２の記憶部１６３に、該電子機器１２の送風機１２１の特性情報が格納されているとする。また、定格運転時の送風機１２１の回転数である定格回転数ｎ１および定格運転時の送風機１２１の送風量である定格送風量Ｑ１が予め格納されているとする。
【００５１】
まず、電子機器制御装置１６の検出部１６１が、動作中の電子機器１２における送風機１２１に印加されている電圧パルスを検出し、現時点のデューティサイクルＤ２を算出する（ステップＳ４１）。
【００５２】
次に、算出部１６２が、記憶部１６３に格納されている特性情報と、ステップＳ４１で算出した現時点のデューティサイクルＤ２とを用いて、現時点の回転数ｎ２を算出する（ステップＳ４２）。特性情報が図３に示すグラフで示される情報であり、現時点のデューティサイクルＤ２が５０％のとき、現時点の回転数ｎ２は、およそ４１００ｒｐｍとなる。算出部１６２は、このように、特性情報と、現時点のデューティサイクルＤ２とを用いて、現時点の回転数ｎ２を算出する。
【００５３】
そして、算出部１６２が、ステップＳ４２にて算出した現時点の回転数ｎ２と、記憶部１６３に格納されている定格回転数ｎ１および定格送風量Ｑ１とを用いて、現時点の送風量Ｑ２を算出し（ステップＳ４３）、処理を終了する。
【００５４】
これにより、電子機器制御装置１６は、電子機器制御装置１６を備える電子機器１２の送風機１２１における現時点の送風量Ｑ２を推定することができる。そして、電子機器１２の夫々において、現時点の送風量Ｑ２を算出することにより、電子機器収納室１４に含まれる電子機器１２の夫々における現時点の送風量Ｑ２を推定することができる。
【００５５】
この後、各電子機器制御装置１６の算出部１６２は、算出した送風量Ｑ２を空調機制御装置１５に送信する。
【００５６】
（送風量調整処理）
次に、図５を参照して、空調機１１の空調機制御装置１５における、電子機器収納室１４に送風するための送風機１１１の送風量を調整する処理について説明する。図５は、空調機制御装置１５における送風量調整処理の流れの一例を示すフローチャートである。
【００５７】
まず、全体送風量算出部１５１が、各電子機器１２の電子機器制御装置１６から送信された送付量Ｑ２を示す信号を受信する（ステップＳ５１）。全体送風量算出部１５１は、電子機器収納室１４内の全ての電子機器１２の夫々から送信された上記信号によって示される送風量Ｑ２を用いて、電子機器収納室１４内の電子機器１２の総送風量Ｑ２＿ｔｏｔａｌを算出する（ステップＳ５２）。
【００５８】
送風機制御部１５２は、現時点の送風機１１１の送風量Ｑ＿ｆａｎを算出する（ステップＳ５３）。なお、ステップＳ５３は、ステップＳ５２の前に行われてもよいし、ステップＳ５２と同時に行われてもよい。
【００５９】
そして、送風機制御部１５２は、総送風量Ｑ２＿ｔｏｔａｌと送風量Ｑ＿ｆａｎとが同じであるか否かを判定する（ステップＳ５４）。なお、送風機制御部１５２は、ステップＳ５４において、送風量Ｑ＿ｆａｎと総送風量Ｑ２＿ｔｏｔａｌとが、完全に一致することを判定してもよいし、送風量Ｑ＿ｆａｎと総送風量Ｑ２＿ｔｏｔａｌとがほぼ同じであることを判定してもよい。例えば、送風機制御部１５２は、総送風量Ｑ２＿ｔｏｔａｌと送風量Ｑ＿ｆａｎとの差が所定の範囲内である場合、総送風量Ｑ２＿ｔｏｔａｌと送風量Ｑ＿ｆａｎとがほぼ同量であると判定してもよい。
【００６０】
総送風量Ｑ２＿ｔｏｔａｌと送風量Ｑ＿ｆａｎとがほぼ同量であるとき（ステップＳ５４にてＹＥＳ）、空調機制御装置１５は、処理をステップＳ５１に戻し、電子機器制御装置１６から送信される次の送風量Ｑ２を受信する。
【００６１】
総送風量Ｑ２＿ｔｏｔａｌと送風量Ｑ＿ｆａｎとがほぼ同量ではないとき（ステップＳ５４にてＮＯ）、送風機制御部１５２は、総送風量Ｑ２＿ｔｏｔａｌが送風量Ｑ＿ｆａｎより小さいか否かを判定する（ステップＳ５５）。総送風量Ｑ２＿ｔｏｔａｌが送風量Ｑ＿ｆａｎより小さいとき（ステップＳ５５にてＹＥＳ）、送風機制御部１５２は、送風機１１１の回転数を下げ（ステップＳ５６）、再度、ステップＳ５３に処理を戻す。総送風量Ｑ２＿ｔｏｔａｌが送風量Ｑ＿ｆａｎより大きいとき（ステップＳ５５にてＮＯ）、送風機制御部１５２は、送風機１１１の回転数を上げ（ステップＳ５７）、再度、ステップＳ５３に処理を戻す。
【００６２】
以上のように、空調機制御装置１５は、電子機器収納室１４内の各電子機器１２の送風機１２１の送風量の総量と、空調機１１の送風機１１１の送風量とが同程度になるように送風機１１１を調整する。
【００６３】
（効果）
以上のように、本実施の形態に係る空調システム１は、より高精度に電子機器の送風機の送風量を推定することができる。
【００６４】
なぜならば、算出部１６２が、電子機器１２の送風機１２１の駆動時の印加電圧を示す情報と、該電子機器１２の送風機１２１の特性情報とを用いて、現時点の該電子機器１２の送風機１２１の実回転数を算出するからである。そして、算出部１６２は、算出した実回転数ｎ２と、電子機器１２の送風機１２１の定格回転数ｎ１および定格送風量Ｑ１とを用いて、現時点の電子機器１２の送風機１２１の実送風量Ｑ２を予測するからである。
【００６５】
このとき、算出部１６２は、定格回転数ｎ１に対する実回転数ｎ２の比の値に、定格送風量Ｑ１を掛け合わせることにより、実送風量Ｑ２を予測する。
【００６６】
このように、本実施の形態に係る空調システム１は、電子機器１２の送風機１２１の実送風量を、送風機１２１の定格回転数ｎ１に対する実回転数ｎ２の比の値を用いて算出する。これにより、実回転数のみを用いて、実送風量を予測する場合と比べ、空調システム１は、送風機１２１の回転数の特性をより反映させた実送風量を予測することができる。したがって、本実施の形態に係る空調システム１は、より高精度に電子機器の送風機の送風量を推定することができる。
【００６７】
また、このように予測した各電子機器１２の送風機１２１の送風量を用いて、全体送風量算出部１５１は、各送風機１２１から送風される送風量の総量を算出する。そして、送風機制御部１５２は、空調機１１の送風機１１１の送風量を、電子機器１２の送風機１２１の実送風量の総量との差が所定の範囲内となるように制御する。
【００６８】
これにより、本実施の形態に係る空調システム１は、送風機１１１の送風量と、電子機器１２の送風機１２１の送風量の総和とを略同量にすることができる。したがって、送風機１１１の送風量が電子機器１２の送風機１２１の送風量の総和に対して、例えば、およそ２倍であるような一般的な空調システムに比べ、本実施の形態に係る空調システム１は、送風機１１１の回転数を減らすことができる。よって、本実施の形態に係る空調システム１は、送風機１１１に必要な電力を削減することができる。
【００６９】
＜第２の実施の形態＞
本発明の第２の実施の形態について、図６を参照して説明する。なお、説明の便宜上、前述した第１の実施の形態で説明した図面に含まれる部材と同じ機能を有する部材については、同じ符号を付し、その説明を省略する。
【００７０】
図６は、本実施の形態に係る空調システム２の全体構成の一例を示す図である。本実施の形態に係る空調システム２と、第１の実施の形態に係る空調システム１との違いは、空調機制御装置１５が空調機１１内に含まれる点である。空調機１１の空調機制御装置１５は、各電子機器１２と互いに通信可能に接続している。
【００７１】
このように、空調機制御装置１５は、空調機１１と一体であってもよい。これにより、本実施の形態に係る空調システム２は、第１の実施の形態における空調システム１に対する効果に加え、電子機器収納室１４内の空調機制御装置１５を設置するためのスペースを削減することができる、という効果を有する。
【００７２】
＜第３の実施の形態＞
本発明の第３の実施の形態について、図７を参照して説明する。なお、説明の便宜上、前述した第１の実施の形態で説明した図面に含まれる部材と同じ機能を有する部材については、同じ符号を付し、その説明を省略する。
【００７３】
本実施の形態に係る空調システム３と、前述した空調システム１、２との違いは、電子機器制御装置１６が電子機器１２に含まれず、空調機１１に空調機制御装置１７が含まれる点である。空調機１１と、各電子機器１２とは、互いに通信可能に接続している。
【００７４】
次に、図８を参照して、本実施の形態に係る空調システム３における空調機１１に含まれる空調機制御装置１７について説明を行う。図８は、空調機制御装置１７の機能構成の一例を示す機能ブロック図である。空調機制御装置１７は、上述した電子機器制御装置１６と、空調機制御装置１５との機能を有する。図８に示す通り、空調機制御装置１７は、受信部１７１、電子機器送風量算出部１７２、記憶部１７３、全体送風量算出部１７４および送風機制御部１７５を備えている。なお、空調機制御装置１７は、更に、電子機器１２の送風機１２１の回転数を制御する制御手段を更に備える構成であってもよい。
【００７５】
空調機制御装置１７の受信部１７１は、電子機器１２の動作中、該電子機器１２の送風機１２１に印加されている電圧パルスを示す信号を、該電子機器１２の送風機１２１を識別する識別情報（送風機識別情報）と共に、該電子機器１２から受信する。なお、送風機識別情報は、例えば、送風機名、送風機の機種名等であるが、本発明はこれに限定されるものではない。送風機識別情報は、送風機１２１を識別するものであればよい。受信部１７１は、受信した信号が示す電圧パルスから、電子機器１２毎に、現時点のデューティサイクルを算出する。受信部１７１は、電子機器１２毎に算出したデューティサイクルＤ２を、該電子機器１２の送風機１２１の送風機識別情報と共に、電子機器送風量算出部１７２に供給する。
【００７６】
記憶部１７３は、電子機器１２の送風機１２１の回転数特性を示す特性情報を、当該送風機１２１を識別する送風機識別情報に関連付けて格納する手段である。記憶部１７３に格納される特性情報は、第１の実施の形態に係る記憶部１６３に格納される特性情報と同様である。
【００７７】
なお、この特性情報は、利用者が、予め図示しない入力装置を用いて、入力することによって記憶部１７３に格納されるものであってもよい。また、この特性情報は、製品出荷時に、予め記憶部１７３に格納されるものであってもよいし、そのほかの方法で記憶部１７３に格納されるものであってもよい。特性情報の記憶部１７３への格納方法は特に限定されない。
【００７８】
また、記憶部１７３は、電子機器収納室１４内の電子機器１２の送風機１２１の夫々に対し、１対１で対応する特性情報を格納するものであってもよいし、送風機１２１の機種ごとの特性情報を格納するものであってもよい。例えば、図７に示す通り、電子機器収納室１４に１６台の電子機器１２が設置されているとき、記憶部１７３には、１６個の送風機１２１の夫々に対応する特性情報が格納されていてもよい。例えば、１つのラック１３には、同じ機種の送風機１２１を備えた電子機器１２が配置されているとき、あるラック１３に含まれる４つの送風機１２１の特性情報は同じである。そのため、記憶部１７３は、送風機１２１の機種と１対１で対応する特性情報を格納するのであってもよい。
【００７９】
また、記憶部１７３には、定格運転時（ＰＷＭデューティサイクルが１００％のとき）の送風機１２１の定格回転数ｎ１と、定格送風量Ｑ１とが、夫々、当該送風機１２１の送風機識別情報に関連付けて、予め格納されている。この定格回転数ｎ１と、定格送風量Ｑ１とは、一般的に、送風機１２１のメーカのカタログ値として提示されているものである。なお、この定格回転数ｎ１と、定格送風量Ｑ１とは、利用者が、予め図示しない入力装置を用いて、入力することによって記憶部１７３に格納されるものであってもよい。また、この定格回転数ｎ１と、定格送風量Ｑ１とは、製品出荷時に、予め記憶部１７３に格納されるものであってもよいし、そのほかの方法で記憶部１７３に格納されるものであってもよい。
【００８０】
また、この定格回転数ｎ１は、特性情報を用いて、電子機器送風量算出部１７２が算出するものであってもよい。具体的には、電子機器送風量算出部１７２が、算出対象の送風機１２１の送風機識別情報に関連付けられた特性情報を用いて、デューティサイクルが１００％であるときの回転数を定格回転数ｎ１として求める構成であってもよい。
【００８１】
また、定格回転数ｎ１と、定格送風量Ｑ１とが、利用者によって、図示しない入力装置を用いて入力されるものである場合、定格回転数ｎ１と定格送風量Ｑ１とは、記憶部１７３に格納されずに、電子機器送風量算出部１７２の入力値として用いられてもよい。
【００８２】
電子機器送風量算出部１７２は、受信部１７１から、電子機器１２毎に算出したデューティサイクルＤ２を送風機識別情報と共に、受信する。そして、電子機器送風量算出部１７２は、記憶部１７３を参照し、電子機器１２毎に、該電子機器１２の送風機１２１の送風機識別情報に関連付けられている特性情報と、現時点のデューティサイクルＤ２とを用いて、現時点の回転数ｎ２を算出する。
【００８３】
そして、電子機器送風量算出部１７２は、電子機器１２毎に、算出した現時点の回転数ｎ２と、記憶部１７３に上記送風機識別情報に関連付けて格納されている定格回転数ｎ１および定格送風量Ｑ１とを用いて、現時点の送風量Ｑ２を算出する。具体的には、電子機器送風量算出部１７２は、上述した第１の実施の形態に係る算出部１６２と同様に、式（１）を用いて、電子機器１２毎に、現時点の送風量Ｑ２を算出する。
【００８４】
そして、電子機器送風量算出部１７２は、電子機器収納室１４内の全ての動作中の電子機器１２の送風機１２１の現時点の送風量Ｑ２を算出したか否かを判定する。全ての動作中の電子機器１２の送風機１２１の現時点の送風量Ｑ２を算出した場合、電子機器送風量算出部１７２は、電子機器収納室１４内の全ての動作中の電子機器１２分の算出した送風量Ｑ２を、全体送風量算出部１７４に供給する。
【００８５】
全体送風量算出部１７４と、送風機制御部１７５とは、夫々、第１の実施の形態に係る全体送風量算出部１５１と、送風機制御部１５２とに相当するため、説明を省略する。
【００８６】
（空調機制御装置１７の処理）
次に、図９を参照して、空調機制御装置１７の処理について説明する。図９は、空調システム３の空調機制御装置１７の処理の流れの一例を示すフローチャートである。
【００８７】
ここで、記憶部１７３には、予め各電子機器１２の送風機１２１の特性情報が、該送風機１２１の送風機識別情報に関連付けられて、格納されているとする。また、定格運転時の送風機１２１の回転数である定格回転数ｎ１および定格運転時の送風機１２１の送風量である定格送風量Ｑ１も、該送風機１２１に関連付けられて格納されているとする。
【００８８】
まず、受信部１７１が、電子機器１２の送風機１２１に印加されている電圧パルスを示す信号を、該電子機器１２の送風機１２１を識別する送風機識別情報と共に、該電子機器１２から受信する（ステップＳ９１）。そして、受信部１７１は、受信した電圧パルスから、現時点のデューティサイクルＤ２を算出する。
【００８９】
次に、電子機器送風量算出部１７２が、記憶部１７３を参照し、電子機器１２毎に、該電子機器１２の送風機１２１の送風機識別情報に関連付けられている特性情報と、現時点のデューティサイクルＤ２とを用いて、現時点の回転数ｎ２を算出する（ステップＳ９２）。
【００９０】
そして、電子機器送風量算出部１７２が、電子機器１２毎に、ステップＳ９２にて算出した現時点の回転数ｎ２と、記憶部１７３に上記送風機識別情報に関連付けて格納されている定格回転数ｎ１および定格送風量Ｑ１とを用いて、現時点の送風量Ｑ２を算出する（ステップＳ９３）。
【００９１】
そして、電子機器送風量算出部１７２は、電子機器収納室１４内の全ての動作中の電子機器１２の送風機１２１の現時点の送風量Ｑ２を算出したか否かを判定する（ステップＳ９４）。全ての動作中の電子機器１２の送風機１２１の現時点の送風量Ｑ２を算出していない場合（ステップＳ９４にてＮＯ）、処理をステップＳ９１に戻す。全ての動作中の電子機器１２の送風機１２１の現時点の送風量Ｑ２を算出した場合（ステップＳ９４にてＹＥＳ）、全体送風量算出部１７４は、電子機器収納室１４内の電子機器１２の総送風量Ｑ２＿ｔｏｔａｌを算出する（ステップＳ９５）。
【００９２】
以降のステップＳ９６からステップＳ１００までの各処理は、実施の形態におけるステップＳ５３からステップＳ５７までの各処理と同様であるため、説明を省略する。
【００９３】
なお、本実施の形態においては、空調機制御装置１７が空調機１１に内蔵されることを例に説明を行ったが、本発明はこれに限定されるものではない。空調機制御装置１７は、空調システム１の空調機制御装置１５のように、電子機器収納室１４内に設置されるものであってもよい。
【００９４】
（効果）
本実施の形態に係る空調システム３によれば、上述した第１の実施の形態に係る空調システム１と同様の効果を得ることができる。また、本実施の形態に係る空調システム３は、第１の実施の形態に係る空調システム１と異なり、各電子機器１２内に電子機器制御装置１６を備えないため、電子機器１２の省スペース化、低コスト化を可能とすることができる。
【００９５】
＜第４の実施の形態＞
次に、本発明の第４の実施の形態について説明する。本実施の形態では、本発明の課題を解決する最小の構成について説明を行う。本実施の形態に係る空調システム４は、図１、図６または図７に示す空調システムの何れかと同様の構成を有する。本実施の形態に係る空調システムは、複数の電子機器１２が設置される室内（電子機器収納室１４内）の空調を、空調機１１を用いて制御する空調システムである。
【００９６】
空調システム４は、図１０に示す送風量予測装置１８を備えている。図１０に示す通り、送風量予測装置１８は、電子機器送風量算出部１８２を備えている。
【００９７】
送風量予測装置１８の電子機器送風量算出部１８２は、第１の実施の形態に係る電子機器制御装置１６の算出部１６２、または、第３の実施の形態に係る空調機制御装置１７の電子機器送風量算出部１７２に相当する。つまり、電子機器送風量算出部１８２は、複数の電子機器１２の夫々に備えられた送風機１２１の駆動時の印加電圧を示す情報と、電子機器１２の送風機１２１の特性情報とを用いて、該電子機器１２の送風機１２１の送風量を予測する。この特性情報とは、電子機器１２の送風機１２１の回転数と印加電圧を示す情報との特性を示すものである。
【００９８】
本実施の形態に係る送風量予測装置１８は、第１の実施の形態と同様に、複数の電子機器１２の夫々に備えられるものであってもよいし、第３の実施の形態と同様に、空調機１１を制御する空調機制御装置１７に備えられるものであってもよい。また、風量予測装置１８は、図１３に示す通り、更に記憶部１８３を備えていてもよい。図１３は、本実施の形態の他の例に係る空調システムの送風量予測装置の機能を示す機能ブロック図である。記憶部１８３は、第１の実施の形態に係る電子機器制御装置１６の記憶部１６３、または、第３の実施の形態に係る空調機制御装置１７の記憶部１７３に相当する。
【００９９】
このように、本実施の形態に係る空調システム４は、電子機器１２の送風機１２１の実送風量を、電子機器１２の夫々に備えられた送風機１２１の駆動時の印加電圧を示す情報と、電子機器１２の送風機１２１の特性情報とを用いて、予測する。これにより、実回転数のみを用いて、実送風量を予測する場合と比べ、空調システム４は、送風機１２１の回転数の特性をより反映させた実送風量を予測することができる。したがって、本実施の形態に係る空調システム４は、より高精度に電子機器の送風機の送風量を推定することができる。
【０１００】
＜第５の実施の形態＞
本発明の第５の実施の形態について、図１１を参照して説明する。なお、説明の便宜上、前述した第１から第４の実施の形態で説明した図面に含まれる部材と同じ機能を有する部材については、同じ符号を付し、その説明を省略する。
【０１０１】
図１１は、本発明の第５の実施の形態に係る空調システムの全体構成の一例を示す図である。図１１に示す空調システム５は、第１の実施の形態で説明したラック１３の夫々に蒸発器５０１を備えるシステムである。なお、本実施の形態の空調システム５は、第１の実施の形態における空調システム１の変形例として説明するが、本発明はこれに限定されるものではない。本実施の形態の空調システム５は、上述した空調システム２〜４の夫々の変形例として適用することが可能である。
【０１０２】
図１１に示す通り、本実施の形態に係る空調システム５は、複数の電子機器１２が設置された電子機器収納室１４の空気を調節するためのシステムである。空調システム５の複数のラック１３の夫々には、蒸発器５０１が設置されている。蒸発器５０１は、ラック１３の背面側（暖気を排出する側）に設置されている。
【０１０３】
蒸発器５０１は、蒸気管５０３と液管５０４により、電子機器収納室１４の外において熱交換器５０２と接続される。これら蒸発器５０１と熱交換器５０２と配管（蒸気管５０３、液管５０４）とで冷媒循環系が構成される。
【０１０４】
蒸発器５０１内には冷媒が貯蔵されている。蒸発器５０１内は、冷媒を注入後に真空引きすることにより、冷媒の飽和蒸気圧に維持される。冷媒としては、例えばハイドロフロロカーボンやハイドロフロロエーテルなどの、低沸点冷媒を用いることができる。
【０１０５】
電子機器１２は、データ処理などの負荷がかかると発熱し、ラック１３内に熱を排出する。この排気熱はラック１３に設置された蒸発器５０１へ伝わり、蒸発器５０１内の冷媒は液体から気体に相変化する。気体となった冷媒は浮力により蒸気管５０３内を上昇し、熱交換器５０２に流入する。
【０１０６】
そして、熱交換器５０２において、冷媒の熱が外気へ放出される。これにより、冷媒は凝縮し、液体となる。液体となった冷媒は、液管５０４を通って蒸発器５０１に還流する。
【０１０７】
なお、上述した蒸発器５０１は、相変化冷却を行う相変化冷却装置に限らず、液冷の冷却装置であってもよい。
【０１０８】
このように、本実施の形態に係る空調システム５は、ラック１３の背面側に設置された蒸発器５０１と、熱交換器５０２と、配管とで構成される冷媒循環系を用いる構成である。このような構成の空調システム５は、電子機器収納室１４内の冷却をより効率的に行うことができる。
【０１０９】
（ハードウェア構成について）
なお、図２に示した空調機制御装置１５、電子機器制御装置１６、図８に示した空調機制御装置１７、および、図１０、図１３に示した送風量予測装置１８の各部は、図１２に例示するハードウェア資源で実現してもよい。すなわち、図１２に示す構成は、ＲＡＭ（Ｒａｎｄｏｍ  Ａｃｃｅｓｓ  Ｍｅｍｏｒｙ）１０１、ＲＯＭ（Ｒｅａｄ  Ｏｎｌｙ  Ｍｅｍｏｒｙ）１０２、通信インタフェース１０３、記憶媒体１０４およびＣＰＵ１０５を備える。また、上記装置の各々は、システムバスを介して入力装置１０６、および、出力装置１０７に接続されている。
【０１１０】
入力装置１０６は、例えば、マウス、キーボード、内臓のキーボタン、又は、タッチパネルなどで実現され、入力操作に用いられる。
【０１１１】
出力装置１０７は、例えば、ディスプレイで実現され出力を確認するために用いられる。
【０１１２】
ＣＰＵ１０５は、ＲＯＭ１０２または記憶媒体１０４に記憶された各種ソフトウェアプログラム（コンピュータプログラム）を、ＲＡＭ１０１に読み出して実行することにより、図２、図８、図１０および図１３の各装置の全体的な動作を司る。すなわち、上記各実施形態において、ＣＰＵ１０５は、ＲＯＭ１０２または記憶媒体１０４を適宜参照しながら、図２、図８、図１０および図１３の各装置が備える各機能（各部）を実行するソフトウェアプログラムを実行する。
【０１１３】
また、各実施形態を例に説明した本発明は、図２、図８、図１０および図１３の各装置に対して、上記説明した機能を実現可能なコンピュータプログラムを供給した後、そのコンピュータプログラムを、ＣＰＵ１０５がＲＡＭ１０１に読み出して実行することによって達成される。
【０１１４】
また、係る供給されたコンピュータプログラムは、読み書き可能なメモリ（一時記憶媒体）またはハードディスク装置等のコンピュータ読み取り可能な記憶デバイスに格納すればよい。そして、このような場合において、本発明は、係るコンピュータプログラムを表すコード或いは係るコンピュータプログラムを格納した記憶媒体によって構成されると捉えることができる。
【０１１５】
上述した各実施形態では、図２、図８、図１０および図１３に示した各装置における各ブロックに示す機能を、図１２に示すＣＰＵ１０５が実行する一例として、ソフトウェアプログラムによって実現する場合について説明した。しかしながら、図２、図８、図１０および図１３に示した各ブロックに示す機能は、一部または全部を、ハードウェアの回路として実現してもよい。
【０１１６】
なお、上述した各実施の形態は、本発明の好適な実施の形態であり、上記各実施の形態にのみ本発明の範囲を限定するものではなく、本発明の要旨を逸脱しない範囲において当業者が上記各実施の形態の修正や代用を行い、種々の変更を施した形態を構築することが可能である。
【０１１７】
上記の実施の形態の一部又は全部は、以下の付記のようにも記載されうるが、以下には限られない。
【０１１８】
（付記１）複数の電子機器の夫々に備えられた送風機の駆動時の印加電圧を示す情報、および、前記電子機器の送風機の回転数と印加電圧を示す情報との特性を示す特性情報を用いて、該電子機器の送風機の送風量を予測する電子機器送風量算出手段を備える、ことを特徴とする空調システム。
【０１１９】
（付記２）複数の電子機器が設置される室内の空調を行う空調機の送風量を制御する空調機制御手段を更に備える、ことを特徴とする付記１に記載の空調システム。
【０１２０】
（付記３）前記電子機器送風量算出手段は、前記電子機器の送風機の駆動時の印加電圧を示す情報と、該電子機器の送風機の前記特性情報とを用いて、該電子機器の送風機の実回転数を算出し、前記算出した実回転数と、該電子機器の送風機の定格回転数および定格送風量とを用いて、前記電子機器の送風機の送風量を予測する、ことを特徴とする付記１または２に記載の空調システム。
【０１２１】
（付記４）前記特性情報を格納可能な記憶手段を更に備える、ことを特徴とする付記１から３の何れか１つに記載の空調システム。
【０１２２】
（付記５）前記電子機器送風量算出手段は、前記定格回転数に対する前記実回転数の比の値に、前記定格送風量を掛け合わせることにより、前記送風量を予測する、ことを特徴とする付記３に記載の空調システム。
【０１２３】
（付記６）複数の電子機器の夫々に備えられた送風機の駆動時の印加電圧を示す情報、および、前記電子機器の送風機の回転数と印加電圧を示す情報との特性を示す特性情報を用いて、該電子機器の送風機の送風量を予測する電子機器送風量算出手段を備える、ことを特徴とする送風量予測装置。
【０１２４】
（付記７）複数の電子機器の夫々に備えられた送風機の駆動時の印加電圧を示す情報、および、前記電子機器の送風機の回転数と印加電圧を示す情報との特性を示す特性情報を用いて、該電子機器の送風機の送風量を予測する、ことを特徴とする送風量予測方法。
【０１２５】
（付記８）複数の電子機器の夫々に備えられた送風機の駆動時の印加電圧を示す情報、および、前記電子機器の送風機の回転数と印加電圧を示す情報との特性を示す特性情報を用いて、該電子機器の送風機の送風量を予測する処理をコンピュータに実行させる、ことを特徴とするプログラム。
【０１２６】
（付記９）複数の電子機器が設置される室内の空調を、空調機を用いて制御する空調システムであって、前記複数の電子機器の夫々に備えられた送風機の回転数と印加電圧を示す情報との特性を示す特性情報を格納可能な記憶手段と、前記電子機器の送風機の駆動時の印加電圧を示す情報と、該電子機器の送風機の前記特性情報とを用いて、現時点の該電子機器の送風機の実回転数を算出する電子機器送風量算出手段と、を備え、前記電子機器送風量算出手段は、前記算出した実回転数と、該電子機器の送風機の定格回転数および定格送風量とを用いて、現時点の前記電子機器の送風機の実送風量を予測する、ことを特徴とする空調システム。
【０１２７】
（付記１０）前記電子機器送風量算出手段は、前記定格回転数に対する前記実回転数の比の値に、前記定格送風量を掛け合わせることにより、前記実送風量を予測する、ことを特徴とする付記９に記載の空調システム。
【０１２８】
（付記１１）前記記憶手段と、前記電子機器送風量算出手段とは、前記複数の電子機器の夫々に含まれ、前記記憶手段は、該記憶手段を備える電子機器の送風機の特性情報を格納する、ことを特徴とする付記９または１０に記載の空調システム。
【０１２９】
（付記１２）前記室内の空調を制御する空調機制御装置を更に備え、前記空調機制御装置は、前記複数の電子機器の夫々に備えられた送風機の実送風量の総量を算出する全体送風量算出手段と、前記空調機の送風量を、前記実送風量の総量との差が所定の範囲内となるように制御する空調機制御手段と、を備えることを特徴とする付記１１に記載の空調システム。
【０１３０】
（付記１３）前記室内の空調を制御する空調機制御装置を更に備え、前記記憶手段と、前記電子機器送風量算出部とは、前記空調機制御装置に含まれ、前記記憶手段は、前記特性情報を、当該特性情報を有する送風機を識別する送風機識別情報に関連付けて格納し、前記電子機器送風量算出手段は、前記送風機識別情報によって識別される送風機の駆動時の印加電圧を示す情報と、前記特性情報とを用いて、現時点の該送風機の実回転数を算出し、前記算出した実回転数と、該電子機器の送風機の定格回転数および定格送風量とを用いて、現時点の前記電子機器の送風機の実送風量を予測する、ことを特徴とする、付記９または１０に記載の空調システム。
【０１３１】
（付記１４）前記空調機制御装置は、前記複数の電子機器の夫々に備えられた送風機の実送風量の総量を算出する全体送風量算出手段と、前記空調機の送風量を、前記実送風量の総量との差が所定の範囲内となるように制御する空調機制御手段と、を更に備えることを特徴とする付記１３に記載の空調システム。
【０１３２】
（付記１５）前記空調機は、前記空調機制御手段を内蔵する、ことを特徴とする付記１２または１４に記載の空調システム。
【０１３３】
（付記１６）複数の電子機器の夫々に備えられた送風機の回転数と印加電圧を示す情報との特性を示す特性情報を格納可能な記憶手段と、前記電子機器の送風機の駆動時の印加電圧を示す情報と、該電子機器の送風機の前記特性情報とを用いて、現時点の該電子機器の送風機の実回転数を算出する電子機器送風量算出手段と、を備え、前記電子機器送風量算出手段は、前記算出した実回転数と、該電子機器の送風機の定格回転数および定格送風量とを用いて、現時点の前記電子機器の送風機の実送風量を予測する、ことを特徴とする送風量予測装置。
【０１３４】
（付記１７）前記電子機器送風量算出手段は、前記定格回転数に対する前記実回転数の比の値に、前記定格送風量を掛け合わせることにより、前記実送風量を予測する、ことを特徴とする付記１６に記載の送風量予測装置。
【０１３５】
（付記１８）複数の電子機器が設置される室内の空調を、空調機を用いて制御する空調システムの送風量予測方法であって、前記複数の電子機器の夫々に備えられた送風機の回転数と印加電圧を示す情報との特性を示す特性情報を格納し、前記電子機器の送風機の駆動時の印加電圧を示す情報と、該電子機器の送風機の前記特性情報とを用いて、現時点の該電子機器の送風機の実回転数を算出し、前記算出した実回転数と、該電子機器の送風機の定格回転数および定格送風量とを用いて、現時点の前記電子機器の送風機の実送風量を予測する、ことを特徴とする送風量予測方法。
【０１３６】
（付記１９）複数の電子機器の夫々に備えられた送風機の送風量を予測する送風量予測方法であって、前記複数の電子機器の夫々に備えられた送風機の回転数と印加電圧を示す情報との特性を示す特性情報を格納し、前記電子機器の送風機の駆動時の印加電圧を示す情報と、該電子機器の送風機の前記特性情報とを用いて、現時点の該電子機器の送風機の実回転数を算出し、前記算出した実回転数と、該電子機器の送風機の定格回転数および定格送風量とを用いて、現時点の前記電子機器の送風機の実送風量を予測する、ことを特徴とする送風量予測方法。
【０１３７】
（付記２０）複数の電子機器の夫々に備えられた送風機の駆動時の印加電圧を示す情報と、該電子機器の送風機の回転数と印加電圧を示す情報との特性を示す特性情報とを用いて、現時点の該電子機器の送風機の実回転数を算出する処理と、前記算出した実回転数と、該電子機器の送風機の定格回転数および定格送風量とを用いて、現時点の前記電子機器の送風機の実送風量を予測する処理とを、コンピュータに実行させる、ことを特徴とするプログラム。
【０１３８】
（付記２１）付記２０に記載のプログラムを記憶する、ことを特徴とするコンピュータ読み取り可能な記録媒体。
【符号の説明】
【０１３９】
１、２、３、４、５    空調システム
１１    空調機
１２    電子機器
１３    ラック
１４    電子機器収納室
１５    空調機制御装置
１６    電子機器制御装置
１７    空調機制御装置
１８    送風量予測装置
１１１    送風機
１２１    送風機
１５１    全体送風量算出部
１５２    送風機制御部
１６１    検出部
１６２    算出部
１６３    記憶部
１７１    受信部
１７２    電子機器送風量算出部
１７３    記憶部
１７４    全体送風量算出部
１７５    送風機制御部
１８２    電子機器送風量算出部
１８３    記憶部
１０１    ＲＡＭ
１０２    ＲＯＭ
１０３    通信インタフェース
１０４    記憶媒体
１０５    ＣＰＵ
１０６    入力装置
１０７    出力装置
５０１    蒸発器
５０２    熱交換器
５０３    蒸気管
５０４    液管
【図１】
2016031634.tif 000003
【図２】
2016031634.tif 000004
【図３】
2016031634.tif 000005
【図４】
2016031634.tif 000006
【図５】
2016031634.tif 000007
【図６】
2016031634.tif 000008
【図７】
2016031634.tif 000009
【図８】
2016031634.tif 000010
【図９】
2016031634.tif 000011
【図１０】
2016031634.tif 000012
【図１１】
2016031634.tif 000013
【図１２】
2016031634.tif 000014
【図１３】
2016031634.tif 000015